(57)【要約】【課題】  装置を使用するユーザが複数存在する成形機であって、各ユーザに対する装置への操作権限の管理行うことによりセキュリティの向上が図られたユーザ管理機能を備えた成形機の提供。【解決手段】  ユーザを職種に応じてグループ化（管理者・作業者など）し、それぞれの職種に応じた操作権限のみを各グループに付与することで、装置に対するユーザのログオンがあった場合には、当該ユーザの属するグループを判別し（ステップ７０１〜７０４）、各グループに該当する操作画面を表示させる（ステップ７０５〜７０９）ことで、操作権限の付与された操作のみを許可するようにし、且つ、所定時間操作がなかった場合にはグループをデフォルトレベルに自動的に変更する（ステップ７１０〜７１２）ことで、高いレベルのユーザでログオンされたまま装置が放置されることを防止し、セキュリティの向上を図る。【選択図】  図７
2006289778.tif 000002
【特許請求の範囲】
【請求項１】
成形機構部、ユーザに対する出力インターフェースである表示部、ユーザからの入力を受ける入力インターフェースである入力部、前記成形機構部の動作条件を格納する記憶部、前記動作条件に従って前記成形機構部の制御を行う機構制御部、装置全体の制御を行う制御部を備えることにより、設定された各種動作条件に従って物品の成形・加工を行う成形機であって、ユーザ名とパスワードとグループ名とが対応付けられて格納されるテーブルと、当該各グループと装置に対する各種操作の操作権限の有無とが対応付けられて格納されるテーブルとを備えることで、装置を使用するユーザの属するグループ及び当該グループに許可された操作内容を判別可能とすることにより、装置を使用するユーザに対する操作制限を行うことを特徴とするユーザ管理機能を備えた成形機。
【請求項２】
前記各種操作の操作権限の有無に応じて、操作可能な項目と操作不可の項目とを異なる表示形式とし、前記各グループごとに定まる表示画面を前記表示部に表示させることを特徴とする請求項１記載のユーザ管理機能を備えた成形機。
【請求項３】
前記入力部に対する入力が所定時間検出されなかった場合には、装置を使用しているユーザが属するグループの種別に応じて予め設定されたグループに該当する前記各グループごとに定まる表示画面を前記表示部に表示させることを特徴とする請求項２記載のユーザ管理機能を備えた成形機。
【請求項４】
前記入力部に対する入力が所定時間検出されなかった場合には、装置を使用しているユーザが属するグループの種別に拘わらず、予め設定されたグループに該当する前記各グループごとに定まる表示画面を前記表示部に表示させることを特徴とする請求項２記載のユーザ管理機能を備えた成形機。
【請求項５】
前記各グループのうちの特定の１つのグループに対し、ユーザ名及びパスワード及びグループ種別の設定・変更の操作権限を与えるように、前記各グループと装置に対する各種操作の操作権限の有無とが対応付けられて格納されるテーブルを設定することで、前記ユーザ名とパスワードとグループ名とが対応付けられて格納されるテーブルに対する操作を、前記特定の１つのグループのみに許可することを特徴とする請求項１乃至請求項４の何れか１つに記載のユーザ管理機能を備えた成形機。
【請求項６】
成形機構部、ユーザに対する出力インターフェースである表示部、ユーザからの入力を受ける入力インターフェースである入力部、前記成形機構部の動作条件を格納する記憶部、前記動作条件に従って前記成形機構部の制御を行う機構制御部、装置全体の制御を行う制御部を備えることにより、設定された各種動作条件に従って物品の成形・加工を行う成形機におけるユーザに応じた制御方法であって、ユーザ名とパスワードとグループ名とを対応付けて管理し、且つ、当該各グループと装置に対する各種操作の操作権限の有無とを対応付けて管理することで、装置を使用するユーザの属するグループ及び当該グループに許可された操作内容を判別可能とし、装置を使用するユーザに対する操作制限を行うことを特徴とする成形機の個別ユーザ管理方法。
【請求項７】
前記各種操作の操作権限の有無に応じて、操作可能な項目と操作不可の項目とを異なる表示形式とし、前記各グループごとに定まる表示画面を前記表示部に表示させることを特徴とする請求項６記載の成形機の個別ユーザ管理方法。
【請求項８】
前記入力部に対する入力が所定時間検出されなかった場合には、装置を使用しているユーザが属するグループの種別に応じて、予め設定されたグループに該当する、前記各グループごとに定まる表示画面を前記表示部に表示させることを特徴とする請求項７記載の成形機の個別ユーザ管理方法。
【請求項９】
前記入力部に対する入力が所定時間検出されなかった場合には、装置を使用しているユーザが属するグループの種別に拘わらず、予め設定されたグループに該当する、前記各グループごとに定まる表示画面を前記表示部に表示させることを特徴とする請求項７記載の成形機の個別ユーザ管理方法。
【請求項１０】
前記各グループのうちの特定の１つのグループに対し、ユーザ名及びパスワード及びグループ種別の設定・変更の操作権限を与えるように、前記各グループと装置に対する各種操作の操作権限の有無とを対応付けて管理することで、前記ユーザ名とパスワードとグループ名との対応付けに対する設定若しくは変更を、前記特定の１つのグループのみに許可することを特徴とする請求項６乃至請求項９の何れか１つに記載の成形機の個別ユーザ管理方法。
【発明の詳細な説明】
【技術分野】
【０００１】
本発明は、装置を使用するユーザが複数存在する成形機であって、当該複数のユーザをグループ化することでセキュリティレベルを複数段階設定することが可能なユーザ管理機能を備えた成形機に関する。
【背景技術】
【０００２】
例えば射出成形機に代表される物品の成形・加工を行う成形機は、その動作をマイコンにより制御され、高い生産性を有し且つ成形品の高精度化が図られている。このようなマイコン制御の成形機は、その動作条件を予め設定する必要があり、当該設定された動作条件に従って稼働するものである。従って、「動作条件」を誤って若しくは故意に間違った設定に変更されてしまうと、装置が誤動作を起こしてしまう。このような問題に関する従来技術が特許文献１などによって開示されている。
【０００３】
【特許文献１】特開２００４−１５５０６６号公報
【発明の開示】
【発明が解決しようとする課題】
【０００４】
上記した特許文献１によって開示される従来技術は、「動作条件（システムパラメータ）」をグループ化することで、所定の動作条件（システムパラメータ）の設定・変更操作に対しては2重（複数）のパスワードを必要とするようにすることで、「動作条件」の設定・変更の操作が誤って行われることを防止するものである（なお、特許文献１では「システムパラメータ」のユーザによる変更は本来できないものであるとされている）。これによれば、誤った操作からの保護というセキュリティの面では優れているといえるが、段階的なグループ化を行うような場合には、パスワードが複数必要となる（例えばランクを５段階とした場合には、最高ランクの操作を行うためには５つのパスワードが必要となる）ため操作性の面及び管理（パスワードなどの管理）の面では煩雑となってしまう場合があった。
【０００５】
また、上記したようなマイコン制御の成形機は、その動作条件の設定・変更の操作の他にも、装置を稼働させる操作、装置の保守・管理のための操作などの各種操作が行われるものであり、それぞれの操作に精通した（分業化された）複数のユーザがいる場合が多い。すなわち、装置を単に稼働させる操作を行う作業者や、各成形品に合わせた装置の動作条件の設定を行う成形担当者や、装置の初期設定や保守のための基本設定等を行うサービスマンや、装置の管理を行う管理者などの複数のユーザが存在しているが、これらの各ユーザをグループ化し、単純にランク付けを行ってセキュリティ管理をしたのでは必ずしも「誤った操作からの保護」などが図られるものでは無かった。（例えば、各ユーザのうち「管理者」は上位のランクであり、一般的な思想としては「ランクが高いほど制限がなく、ランクが低いほどより制限が多くなる」ものであるため、「管理者」は全ての操作権限を有するようにされるのが一般的であるが、「管理者」が必ずしも「動作条件の設定・変更の操作」に精通しているとは限らず、「管理者」にこのような操作権限を与えることが反って「誤操作」を招くものとなりかねない場合があった。）
【０００６】
本発明は、上述した点に鑑み、装置を使用するユーザが複数存在する成形機であって、各ユーザに対する装置への操作権限の管理行うことによりセキュリティの向上が図られ、且つ、ユーザの操作性に優れたユーザ管理機能を備えた成形機を提供することを目的とする。
【課題を解決するための手段】
【０００７】
請求項１のユーザ管理機能を備えた成形機は、成形機構部、ユーザに対する出力インターフェースである表示部、ユーザからの入力を受ける入力インターフェースである入力部、前記成形機構部の動作条件を格納する記憶部、前記動作条件に従って前記成形機構部の制御を行う機構制御部、装置全体の制御を行う制御部を備えることにより、設定された各種動作条件に従って物品の成形・加工を行う成形機であって、ユーザ名とパスワードとグループ名とが対応付けられて格納されるテーブルと、当該各グループと装置に対する各種操作の操作権限の有無とが対応付けられて格納されるテーブルとを備えることで、装置を使用するユーザの属するグループ及び当該グループに許可された操作内容を判別可能とすることにより、装置を使用するユーザに対する操作制限を行うことを特徴とする。
【０００８】
上記構成によれば、ユーザ名とパスワードとグループ名とが対応付けられ、且つ、各グループと装置に対する各種操作の操作権限の有無とが対応付けられるため、ユーザ名をキーとしてグループ名を取得することができ、さらにグループに許可された操作を得ることができるため、ユーザに対して許可された操作を判別することができる。従って、例えば、「管理者」というグループに対しては「動作条件の設定・変更の操作」の権限を与えないように設定しておくことにより、「管理者」グループに属するユーザ名・パスワードで装置にログオンした場合には、「動作条件の設定・変更の操作」が不能となるようにすることができる。また、例えば、「パスワードの管理操作」の権限を「管理者」グループのみに与えることで、「パスワードの管理操作」に対するセキュリティを高めること等が可能となる。
【０００９】
請求項２のユーザ管理機能を備えた成形機は、請求項１記載のユーザ管理機能を備えた成形機であって、前記各種操作の操作権限の有無に応じて、操作可能な項目と操作不可の項目とを異なる表示形式とし、前記各グループごとに定まる表示画面を前記表示部に表示させることを特徴とする。
【００１０】
上記構成によれば、各種操作の操作権限の有無に応じて、操作可能な項目と操作不可の項目とが異なる表示形式（例えば、操作権限の無い項目については該当するアイコンが表示されないとか、設定変更することが許可されていない数値については変更可能な数値とは異なる色で表示させるなど）とされる。
【００１１】
請求項３のユーザ管理機能を備えた成形機は、請求項２記載のユーザ管理機能を備えた成形機であって、前記入力部に対する入力が所定時間検出されなかった場合には、装置を使用しているユーザが属するグループの種別に応じて、予め設定されたグループに該当する、前記各グループごとに定まる表示画面を前記表示部に表示させることを特徴とする。
【００１２】
上記構成によれば、入力部に対する入力が所定時間なかった場合には、装置を使用しているユーザが属するグループの種別に応じて、予め設定されたグループに該当する、前記各グループごとに定まる表示画面が表示される。従って、例えば、各種の設定・変更が行えるグループに属するユーザが装置にログオンしている場合に、所定期間装置に対する操作がなされなかった場合には、装置に対する操作が制限されている（各種の設定・変更が行えない）グループに該当する表示画面（設定・変更操作を行うためのアイコン等が表示されていないような画面）に自動的に変更させることができる。
【００１３】
請求項４のユーザ管理機能を備えた成形機は、請求項２記載のユーザ管理機能を備えた成形機であって、前記入力部に対する入力が所定時間検出されなかった場合には、装置を使用しているユーザが属するグループの種別に拘わらず、予め設定されたグループに該当する、前記各グループごとに定まる表示画面を前記表示部に表示させることを特徴とする。
【００１４】
上記構成によれば、入力部に対する入力が所定時間なかった場合には、装置を使用しているユーザが属するグループの種別に拘わらず、予め設定されたグループに該当する、前記各グループごとに定まる表示画面が表示される。従って、例えば、所定期間装置に対する操作がなされなかった場合には、装置に対する操作が制限されているグループに該当する表示画面に自動的に（装置にログオンしているユーザのグループに拘わらす）変更させることができる。
【００１５】
請求項５のユーザ管理機能を備えた成形機は、請求項１乃至請求項４の何れか１つに記載のユーザ管理機能を備えた成形機であって、前記各グループのうちの特定の１つのグループに対し、ユーザ名及びパスワード及びグループ種別の設定・変更の操作権限を与えるように、前記各グループと装置に対する各種操作の操作権限の有無とが対応付けられて格納されるテーブルを設定することで、前記ユーザ名とパスワードとグループ名とが対応付けられて格納されるテーブルに対する操作を、前記特定の１つのグループのみに許可することを特徴とする。
【００１６】
上記構成によれば、ユーザ名及びパスワード及びグループ種別の設定・変更の操作権限が、特定の１つのグループのみに付与される。
【００１７】
請求項６の成形機の個別ユーザ管理方法は、成形機構部、ユーザに対する出力インターフェースである表示部、ユーザからの入力を受ける入力インターフェースである入力部、前記成形機構部の動作条件を格納する記憶部、前記動作条件に従って前記成形機構部の制御を行う機構制御部、装置全体の制御を行う制御部を備えることにより、設定された各種動作条件に従って物品の成形・加工を行う成形機におけるユーザに応じた制御方法であって、ユーザ名とパスワードとグループ名とを対応付けて管理し、且つ、当該各グループと装置に対する各種操作の操作権限の有無とを対応付けて管理することで、装置を使用するユーザの属するグループ及び当該グループに許可された操作内容を判別可能とし、装置を使用するユーザに対する操作制限を行うことを特徴とする。
【００１８】
請求項７の成形機の個別ユーザ管理方法は、請求項６記載の成形機の個別ユーザ管理方法であって、前記各種操作の操作権限の有無に応じて、操作可能な項目と操作不可の項目とを異なる表示形式とし、前記各グループごとに定まる表示画面を前記表示部に表示させることを特徴とする。
【００１９】
請求項８の成形機の個別ユーザ管理方法は、請求項７記載の成形機の個別ユーザ管理方法であって、前記入力部に対する入力が所定時間検出されなかった場合には、装置を使用しているユーザが属するグループの種別に応じて、予め設定されたグループに該当する、前記各グループごとに定まる表示画面を前記表示部に表示させることを特徴とする。
【００２０】
請求項９の成形機の個別ユーザ管理方法は、請求項７記載の成形機の個別ユーザ管理方法であって、前記入力部に対する入力が所定時間検出されなかった場合には、装置を使用しているユーザが属するグループの種別に拘わらず、予め設定されたグループに該当する、前記各グループごとに定まる表示画面を前記表示部に表示させることを特徴とする。
【００２１】
請求項１０の成形機の個別ユーザ管理方法は、請求項６乃至請求項９の何れか１つに記載の成形機の個別ユーザ管理方法であって、前記各グループのうちの特定の１つのグループに対し、ユーザ名及びパスワード及びグループ種別の設定・変更の操作権限を与えるように、前記各グループと装置に対する各種操作の操作権限の有無とを対応付けて管理することで、前記ユーザ名とパスワードとグループ名との対応付けに対する設定若しくは変更を、前記特定の１つのグループのみに許可することを特徴とする。
【発明の効果】
【００２２】
本発明の請求項１の、成形機構部、ユーザに対する出力インターフェースである表示部、ユーザからの入力を受ける入力インターフェースである入力部、前記成形機構部の動作条件を格納する記憶部、前記動作条件に従って前記成形機構部の制御を行う機構制御部、装置全体の制御を行う制御部を備えることにより、設定された各種動作条件に従って物品の成形・加工を行う成形機であって、ユーザ名とパスワードとグループ名とが対応付けられて格納されるテーブルと、当該各グループと装置に対する各種操作の操作権限の有無とが対応付けられて格納されるテーブルとを備えることで、装置を使用するユーザの属するグループ及び当該グループに許可された操作内容を判別可能とすることにより、装置を使用するユーザに対する操作制限を行うことを特徴とするユーザ管理機能を備えた成形機によれば、グループ化されたユーザに対して各種操作に対する操作権限の有無を予め設定しておくことができるため、各グループ（分業化され、特定の操作に精通したユーザの集まり）に対してそれぞれの業務内容に応じた操作に対する操作権限のみを付与させることが可能となる。これにより、「自己の業務範囲に係わりの薄い操作」を行うことによる“誤操作”を防止することができ（操作権限がないため）、装置のセキュリティを高めることができ、且つ、ログオン時のパスワードは１つで足りるため、操作性にも優れる。
【００２３】
本発明の請求項２の、前記各種操作の操作権限の有無に応じて、操作可能な項目と操作不可の項目とを異なる表示形式とし、前記各グループごとに定まる表示画面を前記表示部に表示させることを特徴とする請求項１記載のユーザ管理機能を備えた成形機によれば、例えば、「操作権限の無い項目については該当するアイコンを表示させない」若しくは「設定変更することが許可されていない数値については変更可能な数値とは異なる色で表示させる」等させることができるため、視覚的に「操作可能な項目」を認識できるため、ユーザの利便性・作業性に優れる。
【００２４】
本発明の請求項３の、前記入力部に対する入力が所定時間検出されなかった場合には、装置を使用しているユーザが属するグループの種別に応じて、予め設定されたグループに該当する、前記各グループごとに定まる表示画面を前記表示部に表示させることを特徴とする請求項２記載のユーザ管理機能を備えた成形機によれば、例えば、各種の設定・変更が行えるグループに属するユーザが装置にログオンしている場合であって、所定期間装置に対する操作がなされなかった場合には、装置に対する操作が制限されている（各種の設定・変更が行えない）グループに該当する表示画面（設定・変更操作を行うためのアイコン等が表示されていないような画面）に自動的に変更させることができるため、セキュリティに優れる。即ち、例えば、各種の設定・変更が行えるグループに属するユーザが装置にログオンした後に席を立ったような場合には、装置に対する設定・変更を行える状態で装置が放置される状況となるが、上記発明によれば、所定期間の経過の後に自動的に装置に対する操作が制限されている（各種の設定・変更が行えない）グループに該当する表示画面に変更されるため、本来装置に対する設定・変更を行えない者が、設定・変更操作を行ってしまう危険性を低減させることができるのである。
【００２５】
本発明の請求項５の、前記各グループのうちの特定の１つのグループに対し、ユーザ名及びパスワード及びグループ種別の設定・変更の操作権限を与えるように、前記各グループと装置に対する各種操作の操作権限の有無とが対応付けられて格納されるテーブルを設定することで、前記ユーザ名とパスワードとグループ名とが対応付けられて格納されるテーブルに対する操作を、前記特定の１つのグループのみに許可することを特徴とする請求項１乃至請求項４の何れか１つに記載のユーザ管理機能を備えた成形機によれば、ユーザ名及びパスワード及びグループ種別の設定・変更の操作権限が、特定の１つのグループのみに付与されるため、例えば、「管理者」グループのみがユーザに関する管理を行うようにすることが可能となり、よりセキュリティに優れる。
【発明を実施するための最良の形態】
【００２６】
以下、本発明の具体的実施例について、図面を参照しながら説明する。なお、以下の実施態様は、本発明を具体化する際の一形態であって、本発明をその範囲内に限定するためのものではない。
【００２７】
図１は本実施例の射出成形機の概略図であり、図２は同射出成形機の本発明に関する部分の概略を示すブロック図である。図３は本実施例の射出成形機の本発明に関する動作の概略を示すフローチャートである。
【００２８】
図１及び図２を参照しつつ本実施例の射出成形機１の構成の概略を説明する。射出成形機１は、機械的な動作により物品の成形を行う成形機構部１０と、成形機構部１０の動作条件などが格納される記憶部５０と、当該動作条件に従って成形機構部１０の動作の制御を行う機構制御部２０と、装置（射出成形機１）全体の制御を行う制御部３０と、ユーザに対する出力インターフェースである表示部７１とユーザからの入力を受ける入力インターフェースである入力部７２が兼用されたタッチパネル７０と、表示部７１の制御などを行う画面表示処理部４０と、入力部７２からの信号の判別などを行う入力処理部６０と、外部機器（ＰＣ等）を接続するためのＩ／Ｆ部８０と、計時手段であるタイマ部９０などを備える。成形機構部１０は、射出ユニット１１と型締めユニット１２とに大別され（図１）、型締めユニット１２は主に金型（図示せず）の開閉を行うものであり、射出ユニット１１は樹脂材料（ペレット）を加熱溶融し、当該溶融樹脂を金型のキャビティ内に射出するものである。
【００２９】
本実施例の射出成形機１は、装置に対する操作を行うことができる者を制限するため（セキュリティ向上のため）に、ユーザ登録を行うことができるように構成されており、装置を使用する場合には、先ず装置に対するログオンを必要とする。装置に対するユーザの設定登録は、タッチパネル７０若しくはＩ／Ｆ部８０に接続される外部機器（ＰＣ等）を操作することによって行われる。ユーザの登録は、「ユーザ名」と「パスワード」及びユーザの属する「グループ」を設定することにより行われ、当該内容は図４に示されるようなテーブル（ユーザテーブル４）に相互に対応付けられて格納され、記憶部５０に記憶される。「ユーザ名」は、ユーザを一意に定めることができるような情報であればよく、図４に示されるような“名前”の文字列であってもよいし、通し番号情報のようなものであっても構わない。「グループ」は、何らかの共通性を基にユーザをグループ化するものであり、本実施例ではユーザの職務形態を基にグループ化がなされており、装置の設計者（メーカ側）である「製作者」と、装置の初期設定や保守のための基本設定等を行うサービスマン（メーカ側）である「メンテナンス」、装置の使用者（顧客）において装置の管理を行う「管理者」、各成形品に合わせた装置の動作条件（成形機構部１０の動作条件など）の設定等を行う「成形者」、装置を単に稼働させる操作を行う「作業者」に分けられている。
【００３０】
各グループには、装置に対する操作権限（例えば表示させることができる画面の制限や、装置の各種設定操作に対する制限など）が割当てられる。当該内容は、本実施例では図５に示されるようなテーブル（グループテーブル５）によって定義づけられ、当該グループテーブル５は記憶部５０に記憶されている。図５に示されるように、本実施例では設計者である「製作者」には全ての操作権限が与えられており（“１”が権限有り“０”が権限なしを示す）、「管理者」にはユーザ管理権限の他に一部の画面表示などの権限、「メンテナンス」及び「成形者」には装置の動作条件の設定・変更などの権限、「作業者」には一部の画面表示などの権限が付与されることとなる。
【００３１】
図３はユーザの登録・変更処理の概略を示すフローチャート図である。以下同図を参照しつつ、本実施例の射出成形機１のユーザ登録・変更処理の概略について説明する。ユーザ管理画面の呼び出し操作があった場合には（ステップ３０１）、ステップ３０２へと移行して、現在ログオンしているユーザのグループが「管理者」であるか否かの判別を行う。本実施例ではユーザ管理権限は「管理者」のみに付与されている（「製作者」も権限を有しているが、「製作者」はあくまでも開発段階におけるユーザ（メーカの人間）であるため、“製品”としての装置の動作処理では「管理者」のみを対象としている）ため、ユーザが「管理者」であるか否かを判別するものであり、当該判別は制御部３０が記憶部５０に格納されているユーザテーブル４を参照することによって行われる。ユーザが管理者でなかった場合には、ステップ３０３へと移行して図６（ｂ）に示されるような「ユーザ切替え画面」を、制御部３０と画面表示処理部４０とによって表示部７１に（若しくはＩ／Ｆ部８０に接続される外部機器（ＰＣ等）に）表示させ、入力部７２から入力される「ユーザ名」と「パスワード」を、入力処理部６０と制御部３０とによって取得し（若しくはＩ／Ｆ部８０に接続される外部機器（ＰＣ等）から取得し）、ユーザテーブル４を参照して、取得した「ユーザ名」と「パスワード」の適否を判別し（ステップ３０４）、これが正しい場合には、ユーザ切替処理（ステップ３０５）を行ってステップ３０２へと戻る。
【００３２】
ステップ３０２における判断が肯定（ユーザが管理者）であった場合には、図６（ａ）に示されるような「ユーザ管理画面」を表示させて、タイマ部９０にタイマ１をスタートさせる（ステップ３０６）。続くステップ３０７では、入力部７２（若しくはＩ／Ｆ部８０に接続される外部機器）に対する操作があったか否かを制御部３０と入力処理部６０によって判別し、これが無い場合にはステップ３０８へと移行してタイマ１が所定時間（予め設定された時間で記憶部５０に格納されている）を経過したか否かを制御部３０によって判別する。タイマ１が未だ所定時間を経過していない場合にはステップ３０７へと戻り、所定時間を経過した場合（即ち“所定時間”の間装置に対する操作がなかった場合）には、“グループ”を“デフォルトレベル”（予め設定されている“グループ”の種別であり記憶部５０に格納されている）とするように自動的にユーザの切替え処理を行い（ステップ３０９）、ステップ３０２へと戻る。
【００３３】
ステップ３０７における判断が肯定であった（装置に対する操作があった）場合には、ユーザの操作要求が何であるかをそれぞれステップ３１０（ユーザ切替処理）、ステップ３１２（ユーザ追加処理）、ステップ３１４（パスワード変更処理）、ステップ３１６（ユーザ削除処理）、ステップ３１８（デフォルト変更処理）において判断し、それぞれに該当した場合には、ステップ３１１、３１３、３１５、３１７、３１９においてそれぞれに該当する処理を行う。ユーザの追加・削除、パスワード変更は、ユーザテーブル４への追加・変更・削除によって行われ、デフォルト変更は記憶部５０にデフォルトレベルとして記憶されているグループの種別を変更することによって行われる。ユーザの操作が“終了”であった場合には処理を終了し、終了でない場合にはステップ３０２へと戻って（ステップ３２０）以下処理を繰り返す。
【００３４】
上記のごとく、本実施例の射出成形機１におけるユーザの登録・変更処理によれば、「管理者（特定の１つのグループ）」のみがユーザの管理を行うことができ（前述のごとく「製作者」も権限は有しているが、製品として顧客が装置を使用する場合には、実質的に「管理者」のみが権限を持つこととなる）、且つ、「管理者」によって装置にログオンしていても、「所定時間」装置に対する操作がなかった場合にはデフォルトレベルに自動的に変更されるため、セキュリティに優れる。即ち、例えば、デフォルトレベルを「作業者」としておくことなどにより、ユーザ（管理者）が装置に「管理者」でログオンしたまま席を離れてしまったような場合に、この状態（「管理者」でログオンされている状態であるため、第三者が勝手にユーザ登録などを行える状態）で装置が長時間放置されることが抑止されるため、セキュリティに優れるのである。
【００３５】
図７は、本実施例の射出成形機１の、装置への操作に対する処理動作の概念を示したフローチャートである。同図は個別具体的な操作内容とこれに対する処理動作を示すものではなく、本発明の概念を説明するためのフローチャートであり、以下、同図に従って本発明の概念を説明する（なお、理解の容易のため、部分的に具体例を挙げつつ説明する）。装置に対するログオンがあった場合には、ステップ７０１〜７０４において、ユーザの属するグループの種別の判別を行い、これによって判別されたグループに応じた画面を表示部７１に（若しくはＩ／Ｆ部８０に接続される外部機器（ＰＣ等）に）表示させる（ステップ７０５〜７０９）。
【００３６】
「グループに応じた画面」とは、グループごとに付与された装置に対する操作権限（例えば表示させることができる画面の制限や、装置の各種設定操作に対する制限など）に応じた画面であり、例えば表示させる画面が“メニュー画面（表示させる画面や操作内容を選択できる画面）”である場合には、ユーザの属するグループが表示可能な（権限が付与されている）画面や操作内容を、記憶部５０に格納されているグループテーブル５（図５）を参照することによって制御部３０が判別し、制御部３０と画面表示処理部４０によって操作権限のある項目のみを表示させる若しくは操作可能な項目と操作不可の項目とを異なる表示形式（色を変える等）として表示させるものである。図８はメニュー画面の一例であり、図８（ａ）は「管理者」のメニュー画面の一例、図８（ｂ）は「メンテナンス」のメニュー画面の一例である。図に示されるように、操作権限を有しない項目（グループテーブル５によって定められる）はブランク表示となっており、仮に入力部７２の当該ブランク部分に対する入力があった場合であっても、制御部３０と入力処理部６０による制御により、当該入力は有効なものとして扱われない。また別の例として、図９に装置の動作条件の設定画面の一例を示した。各項目が、ユーザの属するグループの設定変更の権限の有無に応じて異なる表示形式（図中では操作権限の無い設定項目の背景を網点表示としているが、色彩を替えて表示させる等してもよい）で表示されることとなる。
【００３７】
ステップ７０５〜７０８では、上述したごとく各グループに応じた画面を表示すると共に、タイマ部９０にタイマ２をスタートさせる。続くステップ７１０では、入力部７２（若しくはＩ／Ｆ部８０に接続される外部機器）に対する操作があったか否かを判別し、これが無い場合にはステップ７１１へと移行してタイマ２が所定時間（予め設定された時間で記憶部５０に格納されている）を経過したか否かを判別する。タイマ２が未だ所定時間を経過していない場合にはステップ７１０へと戻り、所定時間を経過した場合（即ち“所定時間”の間装置に対する操作がなかった場合）には、“グループ”を“デフォルトレベル”（予め設定されている“グループ”の種別であり記憶部５０に格納されている）とするように自動的にユーザの切替え処理を行い（ステップ７１２）、ステップ７０１へと戻る。ステップ７１０における判断が肯定であった（装置に対する操作があった）場合には、ステップ７１４へと移行して当該操作に対応する処理を行う。ユーザの操作が“終了”であった場合には処理を終了し、終了でない場合にはステップ７０１へと戻って（ステップ７１５）以下処理を繰り返す。
【００３８】
なお、ユーザのグループが「作業者」であった場合（ステップ７０４における判断が否定であった場合）には、作業者レベルに応じた画面を表示し（ステップ７０９）、ステップ７１３においてユーザからの操作を待ち、操作があった場合には当該操作に対応する処理を行う（ステップ７１４）。「作業者」だけこのような処理とするのは、「作業者」は最も操作権限の低い（セキュリティレベルが低い）グループであるため、ステップ７１０〜７１２の処理を行うのは適当でないためである（“デフォルトレベル”が「作業者」となっていれば問題ないが、他のグループに設定されているような場合は、「所定時間」経過することで、自分（作業者）より高いレベルのグループに自動的に切替えられてしまい、好ましくないため）。同様の理由により、ステップ７１２のグループ変更処理では、自分より高位のグループ（予めグループの順位を定めておく）への変更処理が行われないように判断するようにしてもよい。また、各グループごとに“デフォルトレベル”を個別に設定しておく（例えばグループテーブル５（図５）に、“デフォルトレベル”の列を追加し、それぞれに設定しておく）ことで、例えば「管理者」のデフォルトレベルは「作業者」、「メンテナンス」のデフォルトは「成形者」等とするようにしてもよい。
【００３９】
なお、本発明の動作の前提としてユーザ登録が必要であるため、ユーザの登録・変更処理（図３）を先に（別に）説明しているが、本処理（図３）も「本実施例の射出成形機１の、装置への操作に対する処理動作」の内の１つにすぎず、図７の処理の概念の一部といえるものである。
【００４０】
以上のごとく、本実施例の射出成形機１によれば、グループ化されたユーザに対して各種操作に対する操作権限の有無を予め設定しておくことができるため、各グループ（分業化され、特定の操作に精通したユーザの集まり）に対してそれぞれの業務内容に応じた操作に対する操作権限のみを付与させることが可能となる。これにより、「自己の業務範囲に係わりの薄い操作」を行うことによる“誤操作”を防止することができ（操作権限がないため）、装置のセキュリティを高めることができ（例えば、普段装置の設定などを行うことがなく、装置の動作条件などについての知識もあまり無い「管理者」には、装置の動作条件の設定などの権限が付与されないため「管理者」による誤った設定操作などを防止できる）、且つ、ログオン時のパスワードは１つで足りるため、操作性にも優れる。さらに、所定期間の経過の後に、自動的に装置に対する操作が制限されている（各種の設定・変更が行えない）グループに該当する表示画面に変更させることが可能なため、本来装置に対する設定・変更を行えない者が、設定・変更操作を行ってしまう危険性を低減させることができ、よりセキュリティに優れる。
【００４１】
また、セキュリティを向上させるために、装置に対する操作が所定時間なかった場合には強制的にログオフさせ、再度ログオンを求める画面を自動的に表示させるような処理とした場合には、例えば、装置が稼動状態である場合であって、装置の各ステータス（温度状態等）を表示部７１に表示させているような場合に、所定時間の経過の後に自動的にログオン画面に切り替わってしまい、ステータス画面が見られなくなる（ステータス画面を表示するためには再度ログオンする必要がある）こととなり、作業が煩雑となる虞があるが、本実施例によれば、所定時間の経過の後には、自動的に変更後のグループ（デフォルトレベル）に応じた画面を表示させることができ（図７のステップ７１２を経た後のステップ７０１〜７０９）、上記の例で言えば、継続してステータス画面を表示させることが可能となる（もっともグループテーブル５の設定によっては、一部の表示制限や操作制限が設けられることになるが、これも設定により適宜変更すればよい）ため、作業効率に優れる。
【００４２】
なお、本実施例では、成形機の具体例として射出成形機を用いて説明したが、本発明をこれに限るものではなく、プレス加工機や切削加工機などに対しても本発明を有効に適用することができる。また、実施例中ではグループテーブル５を図５に示したように統合された１つのテーブルとしているが、例えば、図１０に示したような個別のテーブルを各処理ごとに持つようにしても（各処理の中でパラメータとして持つようにしても）構わない。加えて、グループテーブル５の設定をユーザ（顧客側）に変更可能なようにしても良いし、顧客側では変更不可としてもよい。顧客側による変更を不可とすれば、「特定のグループに対応する表示画面」は一定であるため、例えば、メーカ側のサービスマンと顧客側のユーザが電話などで話しをしながら装置の操作を行うような場合に、ある操作を行った際に表示される画面が基本的に同一のものとなり、両者間の理解が容易なものとなる利点があり、顧客側による変更を可能とした場合にはユーザの自由度が高まる利点がある。
【図面の簡単な説明】
【００４３】
【図１】射出成形機の概略図
【図２】射出成形機の本発明に関する部分の概略を示すブロック図
【図３】射出成形機の本発明に関する動作の概略を示すフローチャート
【図４】ユーザテーブルの一例を示す図
【図５】グループテーブルの一例を示す図
【図６】表示画面の一例を示す図
【図７】射出成形機の本発明に関する動作の概略を示すフローチャート
【図８】表示画面の一例を示す図
【図９】表示画面の一例を示す図
【図１０】グループテーブルの一例を示す図
【符号の説明】
【００４４】
１      射出成形機（成形機）
４      ユーザテーブル
５      グループテーブル
１０    成形機構部
１１    射出ユニット
１２    型締めユニット
２０    機構制御部
３０    制御部
５０    記憶部
７０    タッチパネル
７１    表示部
７２    入力部
９０    タイマ部
【図１】
2006289778.tif 000003
【図２】
2006289778.tif 000004
【図３】
2006289778.tif 000005
【図４】
2006289778.tif 000006
【図５】
2006289778.tif 000007
【図６】
2006289778.tif 000008
【図７】
2006289778.tif 000009
【図８】
2006289778.tif 000010
【図９】
2006289778.tif 000011
【図１０】
2006289778.tif 000012